(57)【要約】【課題】ディスク状媒体の記録時に使用する部品の点数やコストの増加を抑え、紛失を防止することができる記録装置を提供すること。【解決手段】装置１００の底部に収納可能なシート状媒体のスタッカ４４が、ディスク状媒体の記録時に使用するトレイを兼ねる構造に形成されている。これにより、シート状媒体のスタッカ機能とディスク状媒体のトレイ機能を装置底部に収納可能な１つの部品で賄うことができるので、部品の点数やコストの増加を抑えることができると共に紛失を防止することができる。【選択図】図１
2007245401.tif 000002
【特許請求の範囲】
【請求項１】
シート状及びディスク状の被記録媒体の表面に記録が可能な記録装置であって、
装置底部に収納可能なシート状媒体のスタッカが、ディスク状媒体の記録時に使用するトレイを兼ねる構造に形成されていることを特徴とする記録装置。
【請求項２】
前記スタッカが多段のスタッカ部材で構成されており、２段以降の前記スタッカ部材が前記トレイを兼ねる構造に形成されていることを特徴とする請求項１に記載の記録装置。
【請求項３】
前記トレイは、表側が前記シート状媒体を受け、裏側が前記ディスク状媒体を載置する構造に形成されていることを特徴とする請求項１又は２に記載の記録装置。
【発明の詳細な説明】
【技術分野】
【０００１】
本発明は、シート状及びディスク状の被記録媒体の表面に記録が可能な記録装置に関する。
【背景技術】
【０００２】
一般に、記録装置の１つであるシリアル方式のインクジェット式プリンタは、主走査方向に往復移動するキャリッジに搭載された記録ヘッドと、副走査方向に用紙を間欠的に設定量ずつ搬送する紙送りローラを備えている。そして、用紙を副走査方向に搬送しつつ記録ヘッドを主走査方向に往復移動させ、記録ヘッドから用紙にインク滴を吐出して文字や画像等を記録するように構成されている。
【０００３】
新規の用紙はプリンタ本体の背面側に配設されている収納自在な給紙トレイ内に積載されて一端がホッパにより持ち上げられ、最上位の用紙が給紙ローラにより引き出されて給紙される。そして、給紙された用紙は紙送りローラにより搬送されて上記記録が行われ、記録済みの用紙は排紙ローラにより搬送されてプリンタ本体の前面側に配設されている収納自在な排紙スタッカ上に排紙されるようになっている。
【０００４】
ところで、近年、個人的にデータ書き込み可能なＣＤ−ＲＷ／ＲやＤＶＤ−ＲＷ／Ｒ等の光ディスクが普及してきたことから、その表面にラベルの記録が可能なインクジェット式プリンタが開発されている。光ディスクの表面に記録する場合、光ディスクは通常の用紙のように供給・搬送することができないので、矩形平板状のディスクトレイに光ディスクを収納し、このディスクトレイを搬送することにより光ディスクの表面に記録するようにしている。
【０００５】
即ち、ユーザは、ディスクトレイに光ディスクを収納し、そのディスクトレイを排紙口側から排紙ローラ上を通して紙送りローラとピンチローラのニップ点に突き当たるまで挿入する。この状態で、紙送りローラが、逆回転してディスクトレイをピンチローラと共に挟持し、光ディスクの記録開始位置まで逆搬送する。その後、紙送りローラが正回転してディスクトレイを搬送し、記録ヘッドが光ディスクの表面に記録するようになっている（特許文献１参照）。
【０００６】
【特許文献１】特開２００４−４２３８４号公報
【発明の開示】
【発明が解決しようとする課題】
【０００７】
上述したディスクトレイは、光ディスクの表面に記録する場合にのみ使用されるため、インクジェット式プリンタとは別体で構成されている。従って、ディスクトレイの分だけ部品点数や部品コストが増加する。また、通常の用紙に記録するときは、ディスクトレイをプリンタ設置場所とは別に設けたトレイ収納場所に保管しておく必要がある。このため、ユーザのディスクトレイの管理が不十分な場合は、ディスクトレイを紛失するおそれがある。
【０００８】
本発明は、上記のような種々の課題に鑑みなされたものであり、その目的は、ディスク状媒体の記録時に使用する部品の点数やコストの増加を抑え、紛失を防止することができる記録装置を提供することにある。
【課題を解決するための手段】
【０００９】
上記目的達成のため、本発明の記録装置では、シート状及びディスク状の被記録媒体の表面に記録が可能な記録装置であって、装置底部に収納可能なシート状媒体のスタッカが、ディスク状媒体の記録時に使用するトレイを兼ねる構造に形成されていることを特徴としている。これにより、シート状媒体のスタッカ機能とディスク状媒体のトレイ機能を装置底部に収納可能な１つの部品で賄うことができるので、部品の点数やコストの増加を抑えることができると共に紛失を防止することができる。
【００１０】
また、前記スタッカが多段のスタッカ部材で構成されており、２段以降の前記スタッカ部材が前記トレイを兼ねる構造に形成されていることを特徴としている。これにより、スタッカをガイドとしてトレイとして使用する際の引出し及びトレイとして使用した後の収納をスムーズに行うことができる。また、前記トレイは、表側が前記シート状媒体を受け、裏側が前記ディスク状媒体を載置する構造に形成されていることを特徴としている。これにより、裏側に対し表側を比較的滑らかな面に形成することができるので、シート状媒体の排出をスムーズに行うことができる。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係る記録装置の１つであるインクジェット式プリンタの外観構成の全体を示す斜視図である。このインクジェット式プリンタ１００は、例えば名刺、カード、Ｌ判／２Ｌ判、ハガキ、六切やＪＩＳ規格のＡ６判からＡ４判までのサイズの単票紙（シート状媒体）と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスク（ディスク状媒体）のレーベル面に記録することができる機能を備えている。
【００１３】
このインクジェット式プリンタ１００は、全体が略直方体状のハウジング１０１で覆われている。そして、ハウジング１０１の上面における前面側には操作部１１０が配設され、前面における図示右側にはメモリカードスロット部１２０が配設され、上面における背面側には給紙部１３０が配設され、前面側には本発明の特徴的な部分を含む排紙部１４０が配設されている。
【００１４】
操作部１１０は、略矩形状の操作パネル１１１を備え、この操作パネル１１１の略中央部に操作状態等を表示する液晶パネル１１２が配設され、この液晶パネル１１２の両側にパワーをオン・オフするパワー系、光ディスクの記録開始を操作したり、用紙の頭出し等を操作したり、インクのフラッシング等を操作する操作系、画像処理等を行う処理系等の図示しないボタンが配設されている。ユーザは、液晶パネル１１２を見て確認しながらボタンを操作することができるので、誤操作を防止することができる。
【００１５】
メモリカードスロット部１２０は、図示矢印ａ方向に開閉自在なカバー１２１で覆われている。このメモリカードスロット部１２０は、例えば５スロット形成され、１３種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。給紙部１３０は、給紙する用紙を１枚もしくは複数枚サポートする機能を併せ持った図示しないペーパーサポートを備えている。
【００１６】
排紙部１４０は、前方に向かって矩形状に開口した排紙口１４１に対し引出・差込自在な本発明の特徴的な部分であるスタッカ１４２を備えている。このスタッカ１４２は、排紙される用紙を１枚もしくは複数枚載置するスタック機能と、光ディスクのレーベル面に記録する際に光ディスクを保持するトレイ機能を併せ持っている。このスタッカ１４２は、前後方に向かって伸縮自在な多段構成であり、不使用のときはハウジング１０１内の底部に収納されており、使用するときは排紙口１４１から前方に引き出され、使用した後は排紙口１４１に向かって差し込まれてハウジング１０１の底部に収納される。
【００１７】
即ち、このスタッカ１４２は、第１スタッカ（スタッカ部材）４１、第２スタッカ（スタッカ部材）４２、第３スタッカ（スタッカ部材）４３及び第４スタッカ（スタッカ部材）４４を備えている。第１スタッカ４１は、平板状に形成されて先端が排紙口１４１と面一となるようにハウジング１０１内の底部に取り付けられている。第２スタッカ４２は、平板状に形成されて第１スタッカ４１に格納・引出自在に配設されている。第３スタッカ４３は、平板状に形成されて第２スタッカ４２に格納・引出自在に配設されている。第４スタッカ４４は、平板状に形成されて第３スタッカ４３に格納・引出自在に配設されている。
【００１８】
スタッカ１４２を使用するとき又は使用しないときは、第２スタッカ４２は第１スタッカ４１に案内されつつ引出され又は格納され、第３スタッカ４３は第２スタッカ４２に案内されつつ引出され又は格納され、第４スタッカ４４は第３スタッカ４３に案内されつつ引出され又は格納されるので、第２、第３、第４スタッカ４２、４３、４４の引出・格納をスムーズに行うことができる。また、第２、第３、第４スタッカ４２、４３、４４の格納時は、インクジェット式プリンタ１００をコンパクトにしておくことができる。
【００１９】
ここで、光ディスクは例えばポリカーボネイト等の硬質プラスチックで円盤状に形成されているため、光ディスクのレーベル面に記録を行う場合に屈曲を伴う搬送ができないので、トレイに光ディスクを収納して搬送する必要がある。本実施形態のスタッカ１４２の第４スタッカ４４は、用紙を載置するスタック機能と、光ディスクを保持するトレイ機能を併せ持っている。この第４スタッカ４４の詳細について更に図を参照して以下に説明する。
【００２０】
図２（Ａ）、（Ｂ）は、上記第４スタッカ４４の表裏面の詳細を示す斜視図である。この第４スタッカ４４は、矩形平板状に形成されており、後端側４４１から第３スタッカ４３に挿入される。そして、表面４４ａの先端側は比較的平坦な面に形成され、裏面４４ｂの略中央部には光ディスクが収納可能な円形凹状のディスク収納部４４ｃが形成されている。そして、このディスク収納部４４ｃの中心部には光ディスクの中心穴が嵌め込まれる円形凸状のディスク固定部４４ｄが形成されている。また、ディスク収納部４４ｃの外周部の対向２箇所には光ディスクを取り出すための半円形状のディスク取出し穴４４ｅが穿設されている。第４スタッカ４４の表面４４ａの先端側は比較的平坦な面に形成されているので、排紙される用紙の先端が引っ掛かることは無く、排紙をスムーズに行うことができる。
【００２１】
図３及び図４は、用紙に記録する場合のインクジェット式プリンタ１００の状態を示す斜視図及び光ディスクのレーベル面に記録する場合のインクジェット式プリンタ１００の状態を示す斜視図である。用紙に記録する場合は、図３に示すように、ユーザは、第２スタッカ４２を第１スタッカ４１から引き出し、第３スタッカ４３を第２スタッカ４２から引き出し、第４スタッカ４４を第３スタッカ４３から引き出す。これにより、スタッカ１４２の面積を広くすることができるので、大きなサイズから小さなサイズまでの排紙される用紙を確実に積層載置することができる。
【００２２】
光ディスクに記録する場合は、図４に示すように、先ず、ユーザは、第４スタッカ４４を第３スタッカ４３から抜き取り、第４スタッカ４４のディスク収納部４４ｃに光ディスクＤを収納する。このとき、第２スタッカ４２及び第３スタッカ４３は、第１スタッカ４１及び第２スタッカ４２から引き出したままの状態でも差し込んだ状態でも良い。次に、ユーザは、この第４スタッカ４４を後端側４４１から排紙口１４１に差し込み、図示しない排紙ローラを通って紙送りローラとその従動ローラのニップ点に突き当たるまで挿入してセットする。
【００２３】
そして、ユーザは、光ディスクＤが収納された第４スタッカ４４を紙送りローラとその従動ローラのニップ点まで差し込んでセットしたら、操作部１１０の光ディスク記録開始ボタンを押す。これにより、排紙ローラが逆回転して第４スタッカ４４の後端部４４１を紙送りローラとその従動ローラにニップさせ、更に紙送りローラが逆回転して第４スタッカ４４を所定位置まで逆搬送する。そして、紙送りローラが正回転して第４スタッカ４４を記録開始位置に位置決めした後、更に紙送りローラが正回転して第４スタッカ４４を搬送する。
【００２４】
同時に、図示しないキャリッジモータとキャリッジベルトによりキャリッジに搭載された記録ヘッドが走査され、光ディスクＤのレーベル面が記録される。このとき、例えばイエロー、マゼンタ、ライトマゼンタ、シアン、ライトシアン、ブラックの計６色のインクカートリッジから記録ヘッドへ各色インクが供給され、各色インクの吐出タイミング及びキャリッジや紙送りローラの駆動が制御されて、高精度なインクドット制御、ハーフトーン処理等が実行される。その後、排紙ローラが正回転して第４スタッカ４４を排紙口１４１から突出させる。ユーザは、第４スタッカ４４を排紙口１４１から抜き取り、記録が完了した光ディスクＤを第４スタッカ４４のディスク収納部４４ｃから取り出す。以上により、光ディスクＤのレーベル面への記録が完了する。
【００２５】
以上のように、本実施形態によれば、インクジェット式プリンタ１００の底部に収納可能なスタッカ１４２を構成する第４スタッカ４４が、光ディスクの記録時に使用するトレイを兼ねる構造に形成されているので、部品の点数やコストの増加を抑えることができると共に紛失を防止することができる。尚、上述した実施形態では、多段のスタッカ１４２としたが、１段のスタッカとして用紙のスタック機能と光ディスクのトレイ機能を持たせるように構成しても良い。
【産業上の利用可能性】
【００２６】
スタッカを備えた記録装置であれば、例えばコピー装置、スキャナ装置、ファクシミリ装置等であっても適用可能である。
【図面の簡単な説明】
【００２７】
【図１】本発明の一実施の形態に係る記録装置の１つであるインクジェット式プリンタの外観構成の全体を示す斜視図である。
【図２】図１のプリンタの第４スタッカの表裏面の詳細を示す斜視図である。
【図３】用紙に記録する場合のインクジェット式プリンタの状態を示す斜視図である。
【図４】光ディスクのレーベル面に記録する場合のインクジェット式プリンタの状態を示す斜視図である。
【符号の説明】
【００２８】
４１  第１スタッカ、４２  第２スタッカ、４３  第３スタッカ、４４  第４スタッカ、１００  インクジェット式プリンタ、１１０  操作部、１２０  メモリカードスロット部、１３０  給紙部、１４０  排紙部、１４１  排紙口、１４２  スタッカ
【図１】
2007245401.tif 000003
【図２】
2007245401.tif 000004
【図３】
2007245401.tif 000005
【図４】
2007245401.tif 000006